(57)【要約】      （修正有）【課題】より難易度が高く、好奇心が持続する立体パズルを提供する。【解決手段】一以上の開口部を有する透明又は半透明な容器１と、容器内部で道具を使用せずに組み立て可能な複数のピースとからなる立体パズルであって、前記ピースが、８面体状の立体に組み立てることができる木製のピースであり、８面体状の立体の面を形成する部分に面取り加工が施され、且つ、８面体状の立体の少なくとも一面に彩色又は図形の描画が施されていることを特徴とする。【選択図】図１
0003185683.tif 000002
【実用新案登録請求の範囲】
【請求項１】
一以上の開口部を有する透明又は半透明な容器と、該容器内部で道具を使用せずに組み立て可能な複数のピースとからなる、立体パズル。
【請求項２】
前記ピースが、８面体状の立体に組み立てることができる木製のピースであり、該８面体状の立体の面を形成する部分に面取り加工が施され、且つ、該８面体状の立体の少なくとも一面に彩色又は図形の描画が施されていることを特徴とする、請求項１に記載の立体パズル。
【考案の詳細な説明】
【技術分野】
【０００１】
本考案は、透明又は半透明な容器という限定された空間の中で、道具を使用せずに容器の開口部に手を入れて組みたてる、立体パズルに関する。
【背景技術】
【０００２】
我が国では古くから組木細工と呼ばれる立体パズルが親しまれてきた。この組木細工は、釘や金具を用いずに、木片を組み合わせて幾何学的な立体形状に組み立て、解体することのできるパズルである。また、近年では、動物や人工物の形状に組み立てることができる組木細工も作られている。
しかし、組木細工のような立体パズルは、一旦解答がわかれば、簡単に組み立てることができ、知的好奇心が薄れてくるものであった。
【考案の概要】
【考案が解決しようとする課題】
【０００３】
そこで、本考案は、上記従来の状況に鑑み、より難易度が高く、好奇心が持続する立体パズルを提供することを目的とする。
【課題を解決するための手段】
【０００４】
上記課題を解決するために、本考案の立体パズルは、一以上の開口部を有する透明又は半透明な容器と、該容器内部で道具を使用せずに組み立て可能な複数のピースとからなる立体パズルを提供するものである。
【０００５】
また、本考案の立体パズルは、さらに、前記ピースが、８面体状の立体に組み立てることができる木製のピースであり、該８面体状の立体の面を形成する部分に面取り加工が施され、且つ、該８面体状の立体の少なくとも一面に彩色又は図形の描画が施されていることを特徴とする立体パズルを提供するものである。
【考案の効果】
【０００６】
本考案の立体パズルは、透明又は半透明な容器という限定された空間内で、特別な道具を用いず、容器の開口部に手を入れて作業することにより、複数のピースを立体形状に組み立てるパズルである。従って、本考案の立体パズルは、常に組み方を改良する必要があるのと同時に、手先の器用さと集中力を要するものであるため、従来の立体パズルよりも難易度が増し、好奇心を長く持続することが可能となる。また、本考案の立体パズルは、手先の器用さを要するため、単に玩具としてだけでなく、リハビリ器具として用いることもできるものである。
本考案の立体パズルにおいて、８面体状の立体に組み立てることができる木製のピースを用い、該８面体状の立体の面を形成する部分に面取り加工を施し、該８面体状の立体の少なくとも一面に彩色又は図形の描画を施した場合には、さらに難易度を増すことができるのと同時に、インテリアとしても実用性のある立体パズルとすることができる。
【図面の簡単な説明】
【０００７】
【図１】本考案の立体パズルの組み立て完成状態を示す図である。
【図２】本考案の立体パズルの各ピースの形状を示す図である。
【図３】本考案の立体パズルの組み立て手順を示す図である。
【図４】本考案の立体パズルにおいて、面取り加工をし、２つの面に彩色をした状態を示す図である。
【考案を実施するための形態】
【０００８】
以下、本考案を実施するための形態について説明する。
本考案の立体パズルは、一以上の開口部を有する透明又は半透明な容器の内部で、道具を使用せずに組み立て可能な複数のピースを組み立てるものである。
ここで、一以上の開口部を有する透明又は半透明な容器とは、例えば図１に示すような開口部が一つの容器１を用いることができる。容器１に設けられた一つの開口部から、複数のピースを入れた上で、開口部１に手又は指を入れて作業することにより、組立体２に組み立てるパズルとなっている。また、開口部が二つ以上の透明又は半透明な容器を用いることもでき、組み立て方のバリエーションを広げることもできる。開口部は、人の手又は指を容器内に入れることができる大きさになっており、好ましくは、開口部の断面積が２０ｃｍ２以上、５００ｃｍ２以下とするのがよい。ただし、組み上がった立体パズルが開口部から出てこない大きさに限定する。
【０００９】
容器の材料は、容器内の立体パズルの形状を視認できる透明性のある材料（透明又は半透明の材料）であればよいが、形状が全く変形しないか、一定の保形性を有する材料を用いるのがよい。例えば、ガラス、アクリル樹脂、ポリエチレンテレフタレート、ポリカーボネート、ポリエチレン等を用いることができる。
容器の形状は、特に限定されず、球、直方体、三角柱、正１２面体等、さまざまな形状を用いることができる。また、容器の形状を小さくし、凹凸の多い形状とし、又は、変形可能な形状とすることにより、立体パズル組み立ての難易度を上げることもできる。さらに、容器の形状を美感に優れたデザインにすることもでき、または、容器に彩色や模様、ラメ等を施すこともできる。本発明の立体パズルをインテリアとして使用する場合には、容器の形状を、台上に静置可能な形状とすることが好ましい。
【００１０】
このような透明又は半透明な容器内で、道具を使用せずに立体パズルを組み立てることによって、常に組み方を改良する必要があるのと同時に、手先の器用さと集中力を要するものであるため、従来の立体パズルよりも難易度が増し、好奇心を長く持続することが可能となる。また、本考案の立体パズルは、手先の器用さをも要求するため、単に玩具としてだけでなく、リハビリ器具として用いることもできるものである。
そして、容器と立体パズルの組み合わせを美感に優れたデザインとすれば、インテリアとして用いることもできるものである。
【００１１】
本発明の立体パズルで使用する、道具を使用せずに組み立て可能な複数のピースとは、手で立体形状に組み立てることができる複数のピースであり、少なくともピースの半分以上について形状に一定の類似性があるため、組み立てに試行錯誤を要するものをいう。
このようなピースとしては、立体的形状に組み立てるために、ピース同士を結合させることができる嵌め込み部分を設けたピースを用いることができる。例えば、図２に示すように、直方体の各ピース３に、切り欠き４を設け、ピースの切り欠き４同士を嵌め合わせることにより、ピース３を結合させて立体的形状に組み上げることができる。このような嵌め込み部分を設けたピース３であれば、立体形状に組み上げた場合に安定であり、立体パズルをインテリアとして展示するのに適している。
組み上げた立体形状は、容器内に収納できるものであれば、どのようなものでもよく、幾何学的な立体形状や、自然物や人工物を模した形状でもよいが、容器内で組み立て可能なサイズと形状にする必要がある。
【００１２】
尚、図２のように、切り欠き４を設けた直方体のピース３を用いたパズルで、木製のピースを用いたものは、日本では「組木細工」として知られており、本考案の立体パズルでは、容器内で組み立てるピースとして、この組木細工を用いることもできる。
組木細工は、様々な立体形状のものが創作されており、立方体、正８面体等の幾何学的な立体形状、そして、だるま形や、ゾウやキリンなどの動物等の立体形状のものが創作されている。
本発明の立体パズルにおいて、組木細工と同じく木製のピースを用いた場合には、趣（おもむき）があるだけでなく、各ピースが手に馴染み、また、木の香りにより心地よく立体パズルを楽しむことができるものである。
【００１３】
本発明の立体パズルにおいて、正８面体状となる組木細工を用いる場合には、例えば、図２のような形状の１９個の木製のピースを用いることができる。これらの木製のピースを正８面体の立体形状に組み立てるための解（方法）は、図３のＡ〜Ｆに示される組み立て手順である。透明又は半透明の容器内で正８面体状に組み上げた状態を図１に示す。
これらの木製のピースは、形状に一定の類似性があるため、どのピースがどの位置を占めるかは一見では判別できず、また、組み立て手順も正しいものでなければならないため、目的の立体形状に組み立てる解（方法）を見つけるには、試行錯誤を要するものである。
【００１４】
正８面体状の立体パズルとする場合において、さらに難易度を上げるためには、ピースの数をさらに増やすこともできる。本考案者らは、正８面体状とするためのピースの数Ｚが、Ｚ＝２ｎ２＋１であることを見出した。従って、ｎ＝３の場合には１９ピースであるが、レベルを上げてｎ＝４とした場合には３３ピース、さらにレベルを上げてｎ＝５とした場合には５１ピースにすることができる。ｎは難易度レベルであり、3本のピースが直交したパズルを最も簡単なレベルｎ＝１として、一回り大きくなる毎にｎが１ずつ増加してゆく。
【００１５】
直方体のピースを用いて正８面体状の立体パズルを組み上げた場合には、各ピースの頂点により８つの擬似的な面が形成されるが、あくまで点で形成される面である。
そこで、各ピースに面取り加工を施すことにより、より正八面体に近づけることができる。面取り加工をした状態を図４に示す。
各ピースに面取り加工を施すことにより、正８面体に組み上げたときの形状がより美しくなる。しかも、各ピースを組み合わせる向きも限定されるため、立体パズルの難易度をさらに上げることができる。
【００１６】
本考案の立体パズルにおいては、上記の面取り加工を施した各面の少なくとも一面に、彩色又は図形の描画を施すことができる。
これにより、立体パズルの難易度をさらに上げることができ、また、形状だけでなく色彩や模様によるデザインで美感を向上させることができる。
図４は、図１に示される正８面体状の立体パズルに、さらに面取り加工を施した上で、そのうち２面に彩色を施した状態を示す正面図である。
【００１７】
このように、正８面体状の立体パズルに、さらに面取り加工と、彩色又は模様を施した場合には、次のような３段階のレベルで３種類のパズルを楽しむことができるため、好奇心を長く持続することが可能となる。
レベル１：  各ピースの面取りの向きと、色彩とを無視して組み立てる
レベル２：  各ピースの面取りの向きを揃えるが、色彩を無視して組み立てる
レベル３：  各ピースの面取りの向きと、色彩とを揃えて組み立てる
【産業上の利用可能性】
【００１８】
本考案の立体パズルは、玩具として販売できるものであり、インテリアとしての実用性も備えた玩具である。また、本考案の立体パズルは、リハビリ器具として使用することもできる。
【符号の説明】
【００１９】
１  ・・・  透明又は半透明の容器
２  ・・・  組立体
３  ・・・  ピース
４  ・・・  切り欠き
【図１】
0003185683.tif 000003
【図２】
0003185683.tif 000004
【図３】
0003185683.tif 000005
【図４】
0003185683.tif 000006